(57)【要約】【課題】  トートバッグ等の肩掛けタイプのバッグにおいて、チョコレート，キャンディー，キャラメル等の比較的高い温度で溶けて柔らかなってしまうような菓子を、良好な状態で保存するバッグを提供すること。【解決手段】  バッグ本体部１と、該バッグ本体部１の外部ファスナ４ａを具備した外部出入口を設けたポケット部Ａとからなり、該ポケット部Ａは断熱性を有すること。前記ポケット部Ａは断熱性を有し、前記バッグ本体部１の内部側から出入自在となるように内部ファスナ６ａを具備した内部側出入口６を設けてなること。或いは前記ポケット部Ａは収納袋部２と断熱袋部３とから構成され、該断熱袋部３内に前記収納袋部２が配置され、前記収納袋部２と断熱袋部３との間には保冷部材１０を収納可能としてなること。【選択図】      図１
2005110885.tif 000002
【特許請求の範囲】
【請求項１】
バッグ本体部と、該バッグ本体部の外部ファスナを具備した外部出入口を設けたポケット部とからなり、該ポケット部は断熱性を有してなることを特徴とするバッグ。
【請求項２】
請求項１において、前記ポケット部はバッグ本体部の内部側から出入自在となるように内部ファスナを具備した内部側出入口を設けてなることを特徴とするバッグ。
【請求項３】
請求項１又は２において、前記ポケット部は収納袋部と断熱袋部とから構成され、該断熱袋部内に前記収納袋部が配置され、前記収納袋部と断熱袋部との間には保冷部材を収納可能としてなることを特徴とするバッグ。
【請求項４】
請求項３において、前記収納袋部と断熱袋部との間には保冷部材を収納可能とし、前記収納袋部と断熱袋部の出入口にはそれぞれファスナが装着されてなることを特徴とするバッグ。
【請求項５】
請求項３又は４において、前記収納袋部の出入口はバッグ本体部の外側に設けられ、前記断熱袋部の出入口はバッグ本体部の内側に設けられてなることを特徴とするバッグ。
【請求項６】
バッグ本体部と、該バッグ本体部の外部ファスナを具備した外部出入口を設けたポケット部とからなり、前記ポケット部は収納袋部と断熱袋部とから構成され、該断熱袋部は前記収納袋部と分離するものとし、該収納袋部内に出入れ自在としてなることを特徴とするバッグ。
【発明の詳細な説明】
【技術分野】
【０００１】
本発明は、トートバッグ等の肩掛けタイプのバッグにおいて、チョコレート，キャンディー，キャラメル等の比較的高い温度で溶けて柔らかくなってしまうような菓子を、良好な状態で保存することができるバッグに関する。
【背景技術】
【０００２】
近年、トートバッグ等の使い勝手が便利で、カジュアル性のあるバッグが多く使用されるようになっている。このようなバッグには、比較的種々の物が入れ易い上に、出入口が大きく開くので、物の出し入れが簡単にできるという利点がある。そのために、スナック菓子等の食べ物を入れることも多くなっている。したがって、このような菓子の中にチョコレート，キャンディー，キャラメル等のように、高温で溶けやすいタイプのものも収納することがある。
【０００３】
しかしながら、夏のように温度の高い季節では、上記のような溶け易い菓子類は収納した場合に溶けてしまい、バッグ本体内部を汚してしまうことも十分にあり得るのである。また、溶けてしまった菓子は、食べにくいのみならず、手を汚してしまう。このように、夏場においては、せっかく収納した菓子が溶けてしまうので、ハイキングやドライブ等にチョコレート，キャンディー，キャラメル等の可溶性の菓子を持ち運ぶのは極めて不向きなものである。このようなことから、保冷性を有するバッグが種々開発されている。たとえば、下記特許文献１に示されるように、バッグ全体が保冷機能を有するものが存在している。これは、バッグの素材そのものに保冷性を有するものとしている。
【特許文献１】特開２００２−１７３１８１号
【発明の開示】
【発明が解決しようとする課題】
【０００４】
しかし、上記のようにバッグ本体の素材に保冷性を有するものが使用されることにより、バッグ自体が高価なものとなる傾向にある。また、チョコレート，キャンディー，キャラメル等の可溶性の菓子を少量しか収納しないときには、保冷性もバッグ内において僅かな領域のみでよいために、保冷性が無駄になることが多い。本発明が解決しようとする課題（技術的課題又は目的）は、極めて簡単な構造にて保冷性を有するバッグを提供することにある。
【課題を解決するための手段】
【０００５】
そこで、発明者は、上記課題を解決すべく、鋭意，研究を行った結果、本発明を、バッグ本体部と、該バッグ本体の外部側にファスナを具備した出入口を設けたポケット部とからなり、該ポケット部は断熱性を有してなるバッグとしたことにより、上記課題を解決したものである。次に、前述の構成において、前記ポケット部はバッグ本体部の内部側から出入自在となるように内部ファスナを具備した内部側出入口を設けてなることを特徴とするバッグとしたことにより、上記課題を解決したものである。
【０００６】
次に、前述の構成において、前記ポケット部は収納袋部と断熱袋部とから構成され、該断熱袋部内に前記収納袋部が配置され、前記収納袋部と断熱袋部との間には保冷部材を収納可能としてなるバッグとしたことにより、上記課題を解決したものである。次に、前述の構成において、前記収納袋部と断熱袋部との間には保冷部材を収納可能とし、前記収納袋部と断熱袋部の出入口にはそれぞれファスナが装着されてなるバッグとしたことにより、上記課題を解決したものである。
【０００７】
次に、前述の構成において、前記収納袋部の出入口はバッグ本体部の外側に設けられ、前記断熱袋部の出入口はバッグ本体部の内側に設けられてなることを特徴とするバッグとしたことにより、上記課題を解決したものである。次に、バッグ本体部と、該バッグ本体部の外部ファスナを具備した外部出入口を設けたポケット部とからなり、前記ポケット部は収納袋部と断熱袋部とから構成され、該断熱袋部は前記収納袋部と分離するものとし、該収納袋部内に出入れ自在としてなるバッグとしたことにより、上記課題を解決したものである。
【発明の効果】
【０００８】
請求項１の発明によれば、極めて簡単な構造にて保冷性を有するバッグとすることができる。請求項２の発明によれば、バッグ本体部の内部側からポケット部への物の出入ができ、ポケット部内の物をバッグ本体部から落とすことがなく安心して使用することができる。請求項３の発明によれば、ポケット部には保冷部材を収納することができ、ポケット部の保冷性をさらに良好にしている。次に、請求項４の発明によれば、収納した可溶性のある菓子類をさらに一層良好な状態に保持することができる。
【０００９】
次に、請求項５の発明によればポケット部に比較的大きな保冷部材を収容することができ、保冷性能を向上させることができるものである。次に、請求項６の発明によれば、断熱袋部は前記ポケット部の収納袋部から出入れ自在で、且つ収納袋部と断熱袋部とを自由に分離できるので、バッグの用途に応じて適宜に断熱袋部を携帯することができ、不要な場合にはその断熱袋部のみをバッグから外しておくことができ、保冷，保温が必要な物を入れることがない場合に、バッグを有効に使用することができる。
【発明を実施するための最良の形態】
【００１０】
以下、本発明の実施形態を図面に基づいて説明する。本発明は、図１（Ａ），（Ｂ）に示すように、主にバッグ本体部１及びポケット部Ａとから構成され、該ポケット部Ａは、主に収納袋部２と断熱袋部３とから構成される。まず、バッグ本体部１は、通常の肩掛けタイプのバッグ等であり、バッグ本体部１には肩掛け部７が装着され、該肩掛け部７を介して肩に掛けたり或いは手に持つことができる。バッグ本体部１及び肩掛け部７は、通常は布地であるが、その他に合成樹脂，或いは紙材等を使用してもかまわない。
【００１１】
次に、ポケット部Ａの構成は、複数のタイプの構造が存在し、その第１タイプを図１，図２に基づいて説明する。まず前記ポケット部Ａの大きさは、図１（Ａ）に示すように、前記バッグ本体部１の正面に対して、略半分程度の大きさである。しかし、ポケット部Ａの大きさは、前述したことに限定されるものではなく、必要に応じてバッグ本体部１の正面図に対して半分以上としたり、半分以下としてもよい。前記ポケット部Ａの収納袋部２は、菓子等の品物を実際に収納する部位である。この収納袋部２は、防水性のある材質にて形成されることが好ましく、合成樹脂繊維等が好適である。しかし、必ずしもこの限りではなく、あえて水分の浸透性のある素材を使用してもかまわない。すなわち、収納袋部２に入れる品物の内容により、水分の吸収が必要であるか、或いは水分に触れてはならないものによって、その材質が適宜，設定されるものであればよい。
【００１２】
その収納袋部２は、後述する断熱袋部３内に収納され、収納袋部２と断熱袋部３とで、２重構造のポケット部Ａを構成するものである〔図１（Ｃ）参照〕。前記断熱袋部３は、バッグ本体部１との間において外気の温度を遮断することができるものである。その断熱袋部３は、断熱素材として、ウレタンフォーム材が使用され、その表面にはアルミ蒸着が施されている。また、その他の断熱素材としては、コルク材，発泡スチロール材等が存在する。また、安全性が確保されるように形成されるならば、ガラス繊維等を使用してもかまわない。その断熱袋部３は、容易に変形されることが好ましい。また弾性を有する材質にすると、収容物を安全に保持することができる。
【００１３】
このポケット部Ａは、バッグ本体部１の外部に設けられた外部出入口４から、菓子等の品物の収納を行うことができる。その外部出入口４は、バッグ本体部１の幅方向の端部箇所に上下方向に形成されている。その外部出入口４には外部ファスナ４ａが設けられており、その閉状態を確実にできるようにしている。該外部ファスナ４ａは、合成樹脂又は金属等によるものが使用される。また、必要に応じて多数の起毛及び輪状からなる布ファスナを使用してもよい。その収納袋部２は前記外部出入口４とは別に、収納袋専用の収納袋部出入口２ａが設けられている。そして、その収納袋部出入口２ａには図２（Ａ）に示すように、ファスナ２ａ1 が装着されている。しかし前記収納袋部出入口２ａにファスナ２ａ1 は、必ずしも必要なものではなく、使用用途に応じては装着されなくてもかまわない。
【００１４】
その収納袋部２と断熱袋部３とは、図２（Ｂ）に示すように、ポケット部Ａの上下方向にて相互に縫製等にて固着されるように形成される。これによって、ポケット部Ａの両面側では、収納袋部２と断熱袋部３との間に空隙部Ｓが構成される。この空隙部Ｓは、断熱層を構成したり、或いは図２（Ａ），（Ｃ）に示すように、後述する保冷部材１０の収納スペースとなる。その収納スペース（空隙部Ｓ）は、外部出入口４においてその収納袋部２の両側箇所に２つ形成されることとなり、その２つの保冷部材１０を収納することができる。この保冷部材１０は、断熱袋部３によって、長時間、その保冷効力を維持することができ、収納袋部２内に収納した菓子を保冷することができる〔図２（Ｄ）参照〕。
【００１５】
次に、ポケット部Ａの第２タイプを図３に基づいて説明する。第２タイプのポケット部Ａは、図３（Ｂ），（Ｃ）に示すように、そのポケット部Ａに前記内部側出入口６が形成されたものである。その内部側出入口６には、内部ファスナ６ａが装着されている。さらに、収納袋部２は、前記断熱袋部３と前記外部出入口４にて一体的に構成されている。すなわち断熱袋部３と収納袋部２とが外部出入口４を共有している状態である。この第２タイプでは、前記保冷部材１０のポケット部Ａの空隙部Ｓへの装着は、内部側出入口６から行う。この内部側出入口６は、前記ポケット部Ａの出入口である外部出入口４とは反対側に位置しているので、その収納袋部２を断面略Ｕ字形状に包囲するようにして保冷部材１０を装着することができる。これによって、保冷部材１０による保冷力は極めて強力なものにすることができる。
【００１６】
次に、ポケット部Ａの第３タイプを図４，図５に基づいて説明する。第３タイプのポケット部Ａとしては、該ポケット部Ａが断熱袋部３のみから構成されたものである。また、断熱袋部３への品物の出し入れとして外部出入口４が設けられている。また、第３タイプのポケット部Ａの変形例として、図５（Ａ），（Ｂ）に示すように、必要に応じて内部側出入口６を具備することもある。また第３タイプにおける断熱袋部３は、前述したように、その断熱素材として、ウレタンフォーム材が使用され、その表面にはアルミ蒸着が施されたものである。また、前記第１タイプと同様に、その他の断熱素材としてコルク材，発泡スチロール材等が使用されることもある。さらに、第３タイプのポケット部Ａでは、前記保冷部材１０は通常，使用しないタイプである。しかしながら、保冷部材１０を直接、断熱袋部３内に入れて、断熱袋部３内を冷えた状態に維持することもできる。
【００１７】
次に保冷部材１０は、通常は柔軟性且つ変形自在となる保冷容器の内部に不凍性の保冷剤が封入されたものである。しかしながら、前記保冷剤は、不凍液ではなく、凍結剤であってもかまわない。この場合には、前記ポケット部Ａ内に装着しやすい状態で凍らせておくことが、使用上において好ましいといえる。
【００１８】
次に、前記ポケット部Ａにおいて、前記ポケット部Ａは収納袋部２と断熱袋部３とから構成され、該断熱袋部３は前記収納袋部２とは分離するものとし、該収納袋部２内に出し入れ自在とすることもある〔図６（Ａ），（Ｂ）参照〕。すなわち、断熱袋部３は、前記ポケット部Ａとは独立したもので、該ポケット部Ａは、収納袋部２のみから構成されている。そして、断熱袋部３は、ポケット部Ａの収納袋部２の内部に適宜，出し入れ自在としたもので、特に保冷する必要のある品物を携帯しない場合には、そのポケット部Ａから断熱袋部３のみを外しておくことで、前記ポケット部Ａは通常の品物或いは保冷，保温をする必要の無い食品等を入れて持ち歩くことができるものである。また、その断熱袋部３には、必要に応じて断熱袋部出入口３ａには、ファスナ３ａ1 が具備されることもある。
【００１９】
本発明のバッグは、通常では、バッグ本体部１に品物を入れておく。また、チョコレート，キャンディー，キャラメル等の可溶性の菓子は、断熱性を有するポケット部Ａ内に収納される。このように、チョコレート，キャンディー，キャラメル等の可溶性の菓子類と、他の品物とをポケット部Ａを介して分別収納することにより、可溶性の菓子類を比較的長時間に亘って持ち歩くことができる。
【００２０】
さらに、上記可溶性の菓子類と、他の品物はポケット部Ａにより分別収納されるので、たとえ、菓子類が溶けてしまったとしても、バッグ本体部１側に収納した品物を汚すことを防止できる。また、ポケット部Ａは、断熱性を有するように構成されており、保冷部材１０により、ポケット部Ａの内部の保冷状態を維持することができるが、その保冷部材１０の代わりに保温部材を装着してもよい。
【００２１】
この保温部材は通常は使い捨てタイプカイロを使用するものである。これによって、弁当等を収納すれば、その保温状態を維持できる。さらに、ポケット部Ａは断熱性を有するもので、該ポケット部Ａ内外の熱の移動を遮断することができるものである。それゆえに、前記、ポケット部Ａ内には保冷状態を維持しなければならない品物を入れておき、バッグ本体部１には、温かいものを入れておくことができる。したがって、本発明のバッグは、食品類の買い物において、温かいものと冷たい物とをポケット部Ａを介して分別して収納することにより、１つのバッグに収納することができるものである。
【図面の簡単な説明】
【００２２】
【図１】（Ａ）は本発明のバッグにおけるポケット部の第１タイプを一部切除した斜視図、（Ｂ）は本発明の外部出入口箇所の要部斜視図、（Ｃ）はポケット部に品物を入れた状態の横断平面図である。
【図２】（Ａ）は本発明における第１タイプのポケット部の横断平面図、（Ｂ）は本発明におけるポケット部箇所の縦断側面図、（Ｃ）は断熱袋部と収納袋部との空隙部に保冷部材を装着した状態の縦断側面図、（Ｄ）はポケット部に品物を入れた状態の横断平面図である。
【図３】（Ａ）は本発明のバッグにおけるポケット部の第２タイプを一部切除した斜視図、（Ｂ）はポケット部の要部横断平面図、（Ｃ）はポケット部に品物を入れた要部横断平面図である。
【図４】（Ａ）は本発明におけるバッグのポケット部の第３タイプを一部切除した斜視図、（Ｂ）はポケット部の要部横断平面図、（Ｃ）はポケット部に品物を入れた要部横断平面図である。
【図５】（Ａ）は本発明におけるのポケット部の第３タイプの変形例を一部切除した斜視図、（Ｂ）はポケット部の要部横断平面図、（Ｃ）はポケット部に品物を入れた要部横断平面図である。
【図６】（Ａ）は本発明において断熱袋部がポケット部から別材として独立したタイプの斜視図、（Ｂ）は品物入りの断熱袋部をポケット部に収納した状態の要部横断平面図である。
【符号の説明】
【００２３】
Ａ…ポケット部
１…バッグ本体部
２…収納袋部
３…断熱袋部
４…外部出入口
４ａ…外部ファスナ
６…内部側出入口
６ａ…内部ファスナ
１０…保冷部材
【図１】
2005110885.tif 000003
【図２】
2005110885.tif 000004
【図３】
2005110885.tif 000005
【図４】
2005110885.tif 000006
【図５】
2005110885.tif 000007
【図６】
2005110885.tif 000008